(57)【要約】【課題】設計根拠がある試験データを即座に反映させ、顧客対して迅速にかつ低コストで信頼性の高い設計書を提示できる土系グラウンド表層舗装設計のための土砂材料の配合率決定ソフトウェアプログラムを得る。【解決手段】本発明ソフトウェアプログラム１は、所定試験データ項目の各レコードを試験データファイルとして蓄積させるデータベースモジュールと、試験データファイルからリクエストに基づくレコードをディスプレイ手段上で表示させる抽出結果表示モジュールと、土砂材料に関連する特性データをディスプレイ手段上に表示させる個別特性表示モジュールと、合成粒度及び合成透水係数を表示させる合成特性表示モジュールと、合成特性表示結果の保存を促すファイル保存モジュールと、プリンタに出力させるプリンタ出力モジュールと、各モジュールへの移行を促すメニュー制御モジュールとよりなる。【選択図】        図１
2005009226.tif 000002
【特許請求の範囲】
【請求項１】
少なくとも入力手段、ディスプレイ手段及びプリンタ手段を有するコンピュータ装置に適用し、クレイグラウンドの混合土舗装又は芝グラウンドの芝生床土舗装における最適粒度分布及びその透水性能を設計根拠とする土系グラウンド表層設計のための土砂材料の配合率を決定するソフトウェアプログラムにおいて、
過去及び新規の設計時に得られた混合土舗装又は芝生床土舗装にそれぞれ関連する各種材料に関する所定試験データ項目の各レコードを前記入力手段を介して試験データファイルとして蓄積させるデータベースモジュールと、
前記ディスプレイ手段上に表示される初期メニュー画面からの順次の土材料検索リクエスト基づいて前記試験データファイルを参照し、対応のレコードを抽出してディスプレイ手段上で順次にリストに追加表示させる抽出結果表示モジュールと、
考慮する土砂材料のすべてを選択した後の集計リクエストに応答して選択した個々の土砂材料に関連する特性データを前記ディスプレイ手段上に所定の表形式又はグラフ形式で表示させる個別特性表示モジュールと、
これら個々の土材料に対してそれぞれ考慮する配合率入力を促すとともに、前記入力手段による配合率入力後に、所定の計算式に基づいて前記コンピュータ装置の演算機能を使用して合成粒度及び合成透水係数を計算し、所定の表形式又はグラフ形式で前記ディスプレイ手段上に表示させる合成特性表示モジュールと、
前記合成特性表示結果を新ファイルとして保存することを促すファイル保存モジュールと、
前記ディスプレイ手段上に表示された抽出結果、個別特性、合成特性をプリンタに出力させるプリンタ出力モジュールと、
前記各モジュールへの移行を促すメニュー制御モジュールと
よりなることを特徴とする土系グラウンド表層設計のための土砂材料の配合率決定ソフトウェアプログラム。
【請求項２】
前記混合土舗装に関連する検索リクエストの場合、合成特性表示モジュールは、推奨粒度範囲を所定色で曲線表示するものとした請求項１記載のソフトウェアプログラム。
【請求項３】
請求項１又は２に記載の土系グラウンド表層設計のため土砂材料の配合率を決定するソフトウェアプログラム及び試験データファイルを記憶した記憶媒体。
【発明の詳細な説明】
【０００１】
【発明の属する技術分野】
本発明は、少なくとも入力手段及びディスプレイ手段を有するコンピュータ装置に適用し、クレイグラウンドの混合土舗装又は芝グラウンドの芝生床土舗装における土系グラウンド表層設計のため土砂材料の配合率を決定するソフトウェアプログラムに関するものである。
【０００２】
【従来の技術】
従来このような土系グラウンド表層舗装設計においては、土砂材料の配合率を決定するにあたり、混合材料が入手可能な場合（Ｉ）、設計（提案）を行う本願人の管轄支店から本願人の試験所に試験依頼をかけて依頼受諾後に管轄支店から材料を送付して試験が開始される。試験所では一般性状試験（含水比試験、粒度試験他）・混合土に関する試験（透水試験、締め固め試験、プロクターニードル試験他）を実施する。この試験結果を踏まえて報告書をまとめ、設計図及び見積書に反映させていた。
【０００３】
一方混合材料が入手不能な場合（ＩＩ）には、管轄支店の営業担当者又は設計者が、一般的配合例を設定し、設計図及び見積書に反映させていた。
【０００４】
【発明が解決しようとする課題】
しかし、（Ｉ）の場合、設計根拠としての報告書は準備できるが、試験状態の所要時間の他に、試験依頼・受領に関連する待ち時間が発生するため、依頼してから報告書を受け取るまでに１４日から２０日かかり顧客への迅速な対応ができないという難点、また試験をするための材料費、人件費がかかり、コストを押し上げるという難点があった。
【０００５】
更に、（ＩＩ）の場合、対応は迅速となるが、設計根拠がないという不安定要素があった。
【０００６】
従って、本発明の目的は、設計根拠がある試験データを設計書及び見積書に即座に反映させ、顧客対して迅速にかつ低コストで信頼性の高い設計書及び見積書を提示できる土系グラウンド表層舗装設計のための土砂材料の配合率決定ソフトウェアプログラムを得るにある。
【０００７】
【課題を解決するための手段】
この目的を達成するため、本発明は、少なくとも入力手段、ディスプレイ手段及びプリンタ手段を有するコンピュータ装置に適用し、クレイグラウンドの混合土舗装又は芝グラウンドの芝生床土舗装における土系グラウンド表層設計のため土砂材料の配合率を決定するソフトウェアプログラムにおいて、
過去及び新規の設計時に得られた混合土舗装又は芝生床土舗装にそれぞれ関連する各種材料に関する所定試験データ項目の各レコードを前記入力手段を介して試験データファイルとして蓄積させるデータベースモジュールと、
前記ディスプレイ手段上に表示される初期メニュー画面からの順次の土材料検索リクエスト基づいて前記試験データファイルを参照し、対応のレコードを抽出してディスプレイ手段上で順次にリストに追加表示させる抽出結果表示モジュールと、
考慮する材料のすべてを選択した後の集計リクエストに応答して選択した個々の土砂材料に関連する特性データを前記ディスプレイ手段上に所定の表形式又はグラフ形式で表示させる個別特性表示モジュールと、
これら個々の材料に対してそれぞれ考慮する配合率入力を促すとともに、前記入力手段による配合率入力後に、所定の計算式に基づいて前記コンピュータ装置の演算機能を使用して合成粒度及び合成透水係数を計算し、所定の表形式又はグラフ形式で前記ディスプレイ手段上に表示させる合成特性表示モジュールと、
前記合成特性表示結果を新ファイルとして保存することを促すファイル保存モジュールと、
前記ディスプレイ手段上に表示された抽出結果、個別特性、合成特性をプリンタに出力するプリンタ出力モジュールと、
前記各モジュールへの移行を促すメニュー制御モジュールと
よりなることを特徴とする。
【０００８】
本発明の好適な実施例においては、前記混合土舗装に関連する検索リクエストの場合、合成特性表示モジュールは、推奨粒度範囲を所定色で曲線表示するものとする。この実施例によれば、最適配合率、最適な混合土の種類の選定が容易になる。
【０００９】
更に、本発明の好適な実施例においては、合成特性結果から見積書を作成する見積作成モジュールを設ける。この実施例によれば、個別の見積書作成ソフトを別途立ち上げる必要がなくなり、迅速な見積書を作成することができるようになる。
【００１０】
【発明の実施の形態】
次に、図面につき本発明の好適な実施の形態を説明する。
図１は、本発明土系グラウンド表層舗装設計のための土砂材料の配合率決定ソフトウェアプログラム１の構成と、入力手段２、ディスプレイ手段３及びプリンタ手段４を有するコンピュータ装置５との関係を示すブロック図である。入力手段２としてキーボード及び／又はマウス等のポインティングデバイスを使用することができる。
【００１１】
図１に示すように、クレイグラウンドの混合土舗装又は芝グラウンドの芝生床土における土系グラウンド表層舗装設計のための本発明による土砂材料の配合率決定ソフトウェアプログラム１は、過去及び新規の設計時に得られた混合土舗装又は芝生床土舗装にそれぞれ関連する各種材料に関する所定試験データ項目のレコードを入力手段２を介して蓄積するデータベースモジュール６を有する。
【００１２】
このデータベースモジュール６は、オペレータによる入力手段２からの入力に基づいて、コンピュータ装置の補助記憶手段の所定記憶領域に試験データファイル７として各レコードを所定テーブルで格納させる。
【００１３】
試験データ項目としては、「試験年月日」、「試験コードＮｏ．」、「管轄支店名」、「都道府県名」、「市町村名」、「地名・物件名」、クレイグラウンドの混合土舗装用の表層土か、又は芝グラウンド用の芝生床土かの「区分」、「試験材供給元名」、「土材料固有名称」の書誌的データ項目、及びこの案件における各種試験結果に基づく種々の特性データ項目を含む。
【００１４】
本発明土材料及び配合率決定ソフトウェアプログラム１は、更に、メニュー制御モジュール８を有し、またこのメニュー制御モジュール８によってディスプレイ手段３上に表示される初期メニュー画面９（図２参照）からの順次の土材料検索リクエスト基づいて試験データファイル７を参照し、対応のレコードを抽出してディスプレイ手段３上で順次にリストに追加表示させる抽出結果表示モジュール１０を有する。
【００１５】
本発明土材料及び配合率決定ソフトウェアプログラム１は、更に、考慮する土材料のすべてを選択した後の集計リクエスト（ディスプレイ手段３上でのボタン表示をクリックする）に応答して選択した個々の材料に関連する特性データをディスプレイ手段３上に所定の表形式及び／又はグラフ形式で表示する個別特性表示モジュール１１を有する。この表形式表示及びグラフ形式表示の例をそれぞれ図３に示す。
【００１６】
図４に示すように混合土舗装に関連する検索リクエストの場合、合成特性表示モジュールは、推奨粒度範囲を所定色例えば、赤色で曲線表示させるものとすると好適である。
【００１７】
本発明土材料及び配合率決定ソフトウェアプログラム１は、更に、これら個々の材料に対してそれぞれ考慮する配合率入力を促すとともに、入力手段による配合率入力後に、所定の計算式に基づいてコンピュータ装置５の演算機能を使用して合成透水係数及び合成粒度を計算し、所定の表形式又はグラフ形式で前記ディスプレイ手段上に表示する合成特性表示モジュール１２を有する。この表形式表示及びグラフ形式表示の例をそれぞれ図４に示す。
【００１８】
本発明土材料及び配合率決定ソフトウェアプログラム１は、更に、合成特性表示結果（図４参照）を新ファイルとして保存することを促すファイル保存モジュール１３と、ディスプレイ手段３上に表示された抽出結果、個別特性、合成特性をプリンタに出力するプリンタ出力モジュール１４とを有する。
【００１９】
更に、本発明土材料及び配合率決定ソフトウェアプログラム１においては、更に、合成特性結果から見積書を作成する見積書作成モジュール１５を設けると一層好適である。
【００２０】
更に、本発明によれば、このような土材料及び配合率決定ソフトウェアプログラム１及び試験データファイル７を、ＣＤ又はＤＶＤのような可搬性の記憶媒体１６に保存する。
【００２１】
【発明の効果】
本発明による土材料及び配合率決定ソフトウェアプログラムによれば、従来のように、土系グラウンド表層舗装設計のため、試験場に対する試験依頼、依頼受諾後材料送付、試験場での試験開始という手順を踏み、コストをかけて試験データを入手することが不要になり、過去の工事の際に行った実績及び信頼性のある試験データを活用し、迅速に材料選定及び配合率を決定することができ、報告書を顧客に即座に提示することができるようになる。
【図面の簡単な説明】
【図１】本発明土系グラウンド表層舗装設計のための土砂材料の配合率決定ソフトウェアプログラムの構成と、入力手段、ディスプレイ手段及びプリンタ手段を有するコンピュータ装置との関係を示すブロック図である。
【図２】本発明土砂材料の配合率決定ソフトウェアプログラムのメニュー制御モジュールによってディスプレイ手段上に表示される初期メニュー画面を示す説明図である。
【図３】本発明土砂材料の配合率決定ソフトウェアプログラムの個別特性表示モジュールによってディスプレイ手段に表示される表形式表示及びグラフ形式表示の例を示す説明図である。
【図４】本発明土砂材料の配合率決定ソフトウェアプログラムの合成特性表示モジュールによってディスプレイ手段に表示される表形式表示及びグラフ形式表示の例を示す説明図である。
【符号の説明】
１  土砂材料の配合率決定ソフトウェアプログラム
２  入力手段
３  ディスプレイ手段
４  プリンタ手段
５  コンピュータ装置
６  データベースモジュール
７  試験データファイル
８  メニュー制御モジュール
９  初期メニュー画面
１０  抽出結果表示モジュール
１１  個別特性表示モジュール
１２  合成特性表示モジュール
１３  ファイル保存モジュール
１４  プリンタ出力モジュール
１５  見積書作成モジュール
１６  記憶媒体
【図１】
2005009226.tif 000003
【図２】
2005009226.tif 000004
【図３】
2005009226.tif 000005
【図４】
2005009226.tif 000006